(57)【特許請求の範囲】
【請求項１】
それぞれ第１および第２の複数のストランドを有する第１および第２ワイヤロープを互いに接続するために、
複数の上記第１ストランドのうちの一部を残して上記第１ワイヤロープの端から所定長さだけ上記第１ストランドを切断する工程と、
複数の上記第２ストランドのうちの一部を残して上記第２ワイヤロープの端から所定長さだけ上記第２ストランドを切断する工程と、
上記残った第１ストランドと上記残った第２ストランドとを沿わせて重ねる工程と、
上記第１ストランドおよび上記第２ストランドの端で、上記重ねられた第１ストランドおよび第２ストランド上に金属スリーブを被せる工程と、
上記金属スリーブを円筒面を有するダイスにより圧着して、第１および第２ストランドとの間に形成される空間内に上記金属スリーブを圧入充填させて上記第１および第２ワイヤロープを互いに締結する工程とを備えたワイヤロープ接続方法。
【請求項２】
上記第１および第２ワイヤロープがそれぞれ第１および第２の芯綱を備え、
上記第２ストランドを切断する工程が、同時に上記第２芯綱を切断する工程を含み、
上記残った第１ストランドと上記残った第２ストランドとを互いに沿わせて重ねる工程が、これらストランドを上記第１芯綱上に重ねる工程を含み、
上記金属スリーブを圧着する工程が、上記重ねられた第１ストランドおよび第２ストランドと共に上記芯綱上に金属スリーブを圧着させる工程を含む請求項１記載のワイヤロープ接続方法。
【請求項３】
圧着された上記金属スリーブの外径が、上記ワイヤロープの外径に比較して２．０ｍｍを越えない大きさだけ大きい請求項１あるいは２記載のワイヤロープ接続方法。
【請求項４】
上記残されるストランドの本数が各ワイヤロープのストランドの本数の約半分である請求項１乃至３のいずれか記載のワイヤロープ接続方法。
【請求項５】
上記締結スリーブが、各ワイヤロープのストランドの切断端部にも圧着されている請求項１乃至４のいずれか記載のワイヤロープ接続方法。
【請求項６】
上記第１ストランド、上記第２ストランドおよび上記第２芯綱を切断する各工程が、それぞれの上記ストランドを切断する前に、少なくとも切断長さより大きな長さだけ、上記ワイヤロープから上記ストランドを一本ずつにほぐす工程を備えた請求項１乃至５のいずれか記載のワイヤロープ接続方法。
【請求項７】
上記一本ずつにほぐされて切断されたストランドを上記ワイヤロープに再び編み込む工程を備えた請求項６記載のワイヤロープ接続方法。
【請求項８】
それぞれ第１および第２の複数のストランドを有する第１および第２ワイヤロープを互いに接続するためのワイヤロープ接続部であって、
上記第１ワイヤロープの端から所定長さだけ延びた複数の第１接続用ストランドと、上記第２ワイヤロープの端から所定長さだけ延び、上記第１接続用ストランドに沿って重ねられたた複数の第２接続用ストランドと、
上記第１接続用ストランドおよび上記第２接続用ストランドの各端で、上記重ねられた第１接続用ストランドおよび第２接続用ストランド上に被せられて円筒形外周面を持ち、内周面が第１および第２ストランドとの間に形成される空間内に圧入充填された金属スリーブとを備えたワイヤロープ接続部。
【請求項９】
上記第１および第２ワイヤロープがそれぞれ第１および第２の芯綱を備え、上記第１接続用ストランドと上記第２接続用ストランドとが、上記第１芯綱上に重ねられて、上記金属スリーブが、上記重ねられた第１ストランドおよび第２ストランドと共に上記芯綱上に被せられてなる請求項８記載のワイヤロープ接続部。
【発明の詳細な説明】
【０００１】
【発明の属する技術分野】
この発明はワイヤロープの接続方法に関し、特にエレベータの主ロープの取り換え時に用いるのに適したワイヤロープの接続方法に関するものである。
【０００２】
【従来の技術】
エレベータには巻き上げ用のいわゆる主ロープを始め、ガバナ用、コンペンセイション用等の多くのワイヤロープが用いられている。これらのワイヤロープの取り換え作業時には、新旧ロープの端末を互いに接続して、ロープの移動経路に沿って移動させ、旧ロープを回収しつつ新ロープを繰り出して新旧ロープを置き換えるのである。
【０００３】
従来、このような新旧ロープの接続を確実に行うために図４に概略的に示すような接続方法を用いていた。即ち、新ロープ１と旧ロープ２とのそれぞれの端部から、１本あるいは２本（図示の例では２本）のストランド１ａ、２ａを残して他のストランドを切断し、切断部はワイヤ１ｂ、２ｂで締結してストランドがほぐれないようにする。切断されずに残ったそれぞれ２本のストランド１ａ、２ａは、互いに絡ませて折り曲げて折り曲げ部分１ｃ、２ｃを形成し、折り曲げ部分１ｃ、２ｃの端部をワイヤ１ｄ、２ｄで縛って締結し、新ロープ１と旧ロープ２との接続を完了させるのである。
【０００４】
【発明が解決しようとする課題】
このような従来の接続方法に於いては、残したストランド１ａ、２ａを互いに絡ませて折り曲げてワイヤで緊縛するので、接続部が大きく膨らんでその外径が新旧ロープ１、２の外径よりも大きくなってしまう。このため、接続した新旧ロープ１、２の大きな接続部が、置き換え移動の際に通されるロープ移動経路内のロープガイドやシーブ溝等の他の機器あるいは他の部分に接触し、噛んだり、引っ掛かったり、損傷を与えたりするおそれがあった。これを防ぐために、ロープ移動経路の機器を分解したり取り外したりする必要があり、またロープ移動も注意深く行わねばならなかった。
【０００５】
また、残したストランド１ａ、２ａの絡ませ方、折り曲げ方、更にはワイヤ４での緊縛の仕方に熟練技術が必要で困難であり、信頼性の高い接続部を形成するのが困難であった。接続部が適切に形成されていない場合には、接続部が外れてしまったり、ロープ移動経路に損傷を与えたりすることさえある。
【０００６】
更に、ロープ接続部に於いては張力が僅か１、２本の残されたストランド１ａ、２ａだけに掛かるので、それらのストランド１ａ、２ａがワイヤロープ本体部分で落ち込み（他のストランドよりも内側に潜り込み）新ロープ２の端末部分が変形してしまうことがある。このような変形が生ずると、交換された新ロープ２の端末部分他の機器へ適切に接続できるようにするために、新ロープ２の変形した端末部分の切除作業をしなければならなくなる。
【０００７】
従って、この発明の課題は上述のような従来のワイヤロープ接続方法の問題点を解消することであり、またロープ接続部を容易に形成し得て、接続部の外径が小さく、充分な引っ張り強度を持ち、ロープ端部の変形も生じないワイヤロープ接続方法を得ることである。
【０００８】
【課題を解決するための手段】
上述の課題を解決するために、この発明のワイヤロープ接続方法は、それぞれ第１および第２の複数のストランドを有する第１および第２ワイヤロープを互いに接続するために、複数の上記第１ストランドのうちの一部を残して上記第１ワイヤロープの端から所定長さだけ上記第１ストランドを切断する工程と、複数の上記第２ストランドのうちの一部を残して上記第２ワイヤロープの端から所定長さだけ上記第２ストランドを切断する工程と、上記残った第１ストランドと上記残った第２ストランドとを沿わせて重ねる工程と、上記第１ストランドおよび上
記第２ストランドの端で、上記重ねられた第１ストランドおよび第２ストランド上に金属スリーブを被せる工程と、上記金属スリーブを円筒面を有するダイスにより圧着して、第１および第２ストランドとの間に形成される空間内に上記金属スリーブを圧入充填させて上記第１および第２ワイヤロープを互いに締結する工程とを備えたワイヤロープ接続方法である。
【０００９】
また、上記第１および第２ワイヤロープがそれぞれ第１および第２の芯綱を備えているときには、上記第２ストランドを切断する工程が、同時に上記第２芯綱を切断する工程を含み、上記残った第１ストランドと上記残った第２ストランドとを互いに沿わせて重ねる工程が、これらストランドを上記第１芯綱上に重ねる工程を含み、上記金属スリーブを圧着させる工程が、上記重ねられた第１ストランドおよび第２ストランドと共に上記芯綱上に金属スリーブを圧着させる工程を含ませることができる。
【００１０】
また、圧着された上記金属スリーブの外径を、上記ワイヤロープの外径に比較して２．０ｍｍを越えない大きさだけ大きくしてもよい。
【００１１】
また、上記残されるストランドの本数が各ワイヤロープのストランドの本数の約半分であっても良い。
【００１２】
更に、上記締結スリーブが、各ワイヤロープのストランドの切断端部にも圧着されていても良い。
【００１３】
また、上記第１ストランド、上記第２ストランドおよび上記第２芯綱を切断する各工程が、それぞれの上記ストランドを切断する前に、少なくとも切断長さより大きな長さだけ、上記ワイヤロープから上記ストランドを一本ずつにほぐす工程を備えていても良い。
【００１４】
また、上記一本ずつにほぐされて切断されたストランドを上記ワイヤロープに再び編み込む工程を備えることもできる。
【００１５】
更に本発明のワイヤロープ接続部は、それぞれ第１および第２の複数のストランドを有する第１および第２ワイヤロープを互いに接続するためのワイヤロープ接続部であって、上記第１ワイヤロープの端から所定長さだけ延びた複数の第１接続用ストランドと、上記第２ワイヤロープの端から所定長さだけ延び、上記第１接続用ストランドに沿って重ねられたた複数の第２接続用ストランドと、上記第１接続用ストランドおよび上記第２接続用ストランドの各端で、上記重ねられた第１接続用ストランドおよび第２接続用ストランド上に被せられて円筒形外周面を持ち、内周面が第１および第２ストランドとの間に形成される空間内に圧入充填された金属スリーブとを備えている。
【００１６】
また、第１および第２ワイヤロープがそれぞれ第１および第２の芯綱を備え、上記第１接続用ストランドと上記第２接続用ストランドとが、上記第１芯綱上に重ねられて、上記金属スリーブが、上記重ねられた第１ストランドおよび第２ストランドと共に上記芯綱上に被せられて圧着されてなるものにできる。
【００１７】
【発明の実施の形態】
実施の形態１．
図１には本発明のワイヤロープ接続方法の一工程を概略図で示し、図２には本発明のワイヤロープ接続方法により完成したワイヤロープ接続部を概略図で示し、図３には本発明のワイヤロープ接続方法に用いるのに適したハンデイプレスを示してある。
【００１８】
図１に於いて、新ロープ１は芯綱２の周囲に配置された複数（例えば８本）の第１ストランド３を有する第１ワイヤロープであり、旧ロープ４は同様に芯綱５の周囲に配置された複数（例えば８本）の第２ストランド６を有する第２ワイヤロープである。これらの新ロープ１と旧ロープ２とを互いに接続するために、新ロープ１の複数の第１ストランド３のうちのうちの一部、望ましくは周方向に隣接した約半数（例えば４本）の第１ストランド３だけを残して、選択した第１ストランド３（例えば４本）を第１ワイヤロープ１の端から例えば７００ｍｍだけロープからほぐして一本ずつ独立させる。次にこの第１ストランド３を接続部を形成するのに必要な長さ、例えば５００ｍｍの所定長さだけ切断して取り除く。切断されずに残された４本の第１ストランド３ａは再び芯綱２の周囲に沿って撚り戻されて第１ワイヤロープ１の一部となるようにする。
【００１９】
旧ロープ２の複数の第２ストランド６のうちのうちの一部、望ましくは周方向に隣接した約半数（例えば４本）の第２ストランド６ａだけを残して、選択した第２ストランド６（例えば４本）を第２ワイヤロープ２の端から例えば７００ｍｍだけロープからほぐして一本ずつ独立させる。次にこの第２ストランド６を接続部を形成するのに必要な長さ、例えば５００ｍｍの所定長さだけ切断して取り除く。このとき第２ストランド６と共に芯綱５の一部も同じ位置で切断して取り除くので、切断されずに残された４本の第２ストランド６ａだけが残ることになる。
【００２０】
次に、このようにして第２ワイヤロープ４の端部に残された第２ストランド６ａを、第１ワイヤロープ１の端部に残された第１ストランド３ａに沿って重ね合わせられるように第１ワイヤロープ１の芯綱２に巻き付ける。芯綱２が無いワイヤロープの場合には、接続用ストランド３ａと６ａとを互いに沿わせて重ね合わせるのである。
【００２１】
次に、予め新旧ロープ１あるいは４に２本ずつ嵌めてあったアルミニウム、真鍮等の金属スリーブ７をずらして移動させ、図２に示すように、それぞれ第１ワイヤロープ１の端部に重なる位置と、第１ワイヤロープ１に残された第１ストランド３ａの端に重なる位置と、第２ワイヤロープ４の端部に重なる位置と、第２ワイヤロープ４に残された第２ストランド６ａの端とに重なる位置とに配置する。それから金属スリーブ７をそれぞれの位置で、図３に示す如きハンデイプレス１０を用いて、圧着する。この結果、金属スリーブ７は、第１ストランド３ａおよび第２ストランド６ａの端で、互いにまた芯綱２に重ねられた第１ストランド３ａおよび第２ストランド６ａ上に圧着させられて、第１ワイヤロープ１および第２ワイヤロープ４が互いに接続され、締結される。
【００２２】
図３に示すハンデイプレス１０は、フレーム１１に取り付けられた油圧シリンダー１２をハンドル１３によって操作される手動ポンプ１４によって作動させ、顎部１５の開口部に装着した円筒面を持つダイス１６を開閉させるものである。このようなハンデイプレス１０を用いて金属スリーブ７に大きな圧力を加えれば、金属スリーブ７は外周面はダイス１６の円筒面となるが、内周面は塑性変形してワイヤロープの外径を形成する円と第１および第２ストランド３ａおよび６ａとの間に形成される空間内に圧入充填されて圧着される。例えば約３０ｔの圧力を加えると充分な圧着強度が得られる。ロープ接続部の外径とロープ径との差は、ワイヤロープの外径いかんに拘わらず、０．７ｍｍ乃至２．０ｍｍの範囲とすべきである。この直径の差がこの範囲よりも小さいと金属スリーブ７の厚さが充分でなく金属スリーブの強度が弱く割れが生じたりし、またこの範囲よりも大きいとロープ交換時のロープ移動経路の通過が滑らかに行われなくなる。
【００２３】
本発明のワイヤロープ接続方法により形成した接続部を、従来のワイヤロープ接続方法により形成した接続部と比較するために、引張試験を行った。試験に用いたワイヤロープは８×Ｓ（１９）０／０、ロープ直径は１２ｍｍ、ロープ種別はＥ種、規定破断荷重は５８．５ｋＮのもので、８本のストランドのうち４本を切除して残りの４本を用い、図２に示す如く配置した４本のアルミニウムの金属スリーブ７を図３のハンデイプレス１０により圧着により締結して接続部を形成した。金属スリーブ７の圧着締結後の外径即ちロープ接続部の外径は１２．８ｍｍであった。
【００２４】
このような引張試験の結果、従来のワイヤロープ接続方法によれば、最大荷重１．０ｋＮで接続部の抜けが起こり、締結効率は１．７％であったのに対し、本発明のワイヤロープ接続方法によれば、最大荷重４．０ｋＮで金属スリーブ７の割れが起こり、このときの締結効率は６．８％であった。ここで締結効率とは規定破断荷重に対する引張試験の最大荷重の比率をパーセントで表したものである。このように本発明のワイヤロープ接続方法は最大荷重および締結効率に於いて従来のワイヤロープ接続方法よりも優れていることが明らかである。
【００２５】
【発明の効果】
以上のように本発明のワイヤロープ接続方法によれば、複数の第１ストランドのうちの一部を残して第１ワイヤロープの端から所定長さだけ第１ストランドを切断する工程と、複数の第２ストランドのうちの一部を残して第２ワイヤロープの端から所定長さだけ第２ストランドを切断する工程と、残った第１ストランドと残った第２ストランドとを沿わせて重ねる工程と、第１ストランドおよび第２ストランドの端で、重ねられた第１ストランドおよび第２ストランド上に金属スリーブを被せる工程と、上記金属スリーブを円筒面を有するダイスにより圧着して、第１および第２ストランドとの間に形成される空間内に上記金属スリーブを圧入充填させて、第１および第２ワイヤロープを互いに締結する工程とを備えているので、ロープ接続部を容易に形成でき、得られたロープ接続部は外径が小さく、充分な引っ張り強度を持ち、ロープ端部の変形も生じることがない。
【００２６】
また、第１および第２ワイヤロープがそれぞれ第１および第２の芯綱を備えているときには、第２ストランドを切断する工程が、同時に第２芯綱を切断する工程を含み、残った第１ストランドと残った第２ストランドとを互いに沿わせて重ねる工程が、これらストランドを第１芯綱上に重ねる工程を含み、金属スリーブを圧着させる工程が、重ねられた第１ストランドおよび第２ストランドと共に芯綱上に金属スリーブを圧着させる工程を含ませることができるので、芯綱を備えたワイヤロープについてもこのワイヤロープ接続方法を適用できる。
【００２７】
また、圧着された金属スリーブの外径は、ワイヤロープの外径に比較して２．０ｍｍを越えないだけ大きいだけであるので、ロープ接続部がロープ移動経路内の機器あるいは部分に接触して、噛んだり、引っ掛かったり、損傷を与えたりするおそれがなく、ロープ移動経路の機器を分解したり取り外したり、ロープ移動を注意深く行う必要もない。
【００２８】
また、残されるストランドの本数が各ワイヤロープのストランドの本数の約半分であるので、残されたストランドが落ち込んでしまって変形したワイヤロープ端末部分の切除作業の必要がなくなる。
【００２９】
更に、締結スリーブが、各ワイヤロープのストランドの切断端部にも圧着されているので、締結が確実に行われる。
【００３０】
また、第１ストランド、第２ストランドおよび第２芯綱を切断する各工程が、それぞれのストランドを切断する前に、少なくとも切断長さより大きな長さだけ、ワイヤロープからストランドを一本ずつにほぐす工程を備えているので、接続用のストランドの作成を容易かつ正確に行うことができる。
【００３１】
また、一本ずつにほぐされて切断されたストランドをワイヤロープに再び編み込む工程を備えることもできるので、ロープ接続部の直径を不必要に大きくすることがなく、また接続部を安定させることができる。
【００３２】
更に、本発明のワイヤロープ接続部は、それぞれ第１および第２の複数のストランドを有する第１および第２ワイヤロープを互いに接続するためのワイヤロープ接続部であって、上記第１ワイヤロープの端から所定長さだけ延びた複数の第１接続用ストランドと、上記第２ワイヤロープの端から所定長さだけ延び、上記第１接続用ストランドに沿って重ねられたた複数の第２接続用ストランドと、上記第１接続用ストランドおよび上記第２接続用ストランドの各端で、上記重ねられた第１接続用ストランドおよび第２接続用ストランド上に被せられて円筒形外周面を持ち、内周面が第１および第２ストランドとの間に形成される空間内に圧入充填された金属スリーブとを備えているので、容易に高い信頼性をもって製造できて、引っ張り強度を充分な大きさにでき、接続部の直径を小さく押さえることができる。
【００３３】
上記第１および第２ワイヤロープがそれぞれ第１および第２の芯綱を備えている場合、上記第１接続用ストランドと上記第２接続用ストランドとが、上記第１芯綱上に重ねられて、上記金属スリーブが、上記重ねられた第１ストランドおよび第２ストランドと共に上記芯綱上に被せられて圧着されてなるので、芯綱を持つワイヤロープにも適用できる。
【図面の簡単な説明】
【図１】  本発明のワイヤロープ接続方法を実施する一工程を示す概略側面図である。
【図２】  本発明のワイヤロープ接続方法により形成された本発明のワイヤロープ接続部を示す概略側面図である。
【図３】  本発明のワイヤロープ接続方法に用いることのできるハンデイプレスを示す側面図である。
【図４】  従来のワイヤロープ接続方法による接続部を示す概略側面図である。
【符号の説明】
１  第１ワイヤロープ（新ロープ）、２、５  芯綱、３、６  ストランド、３ａ、６ａ  残ったストランド、４  第２ワイヤロープ（旧ロープ）、７  金属スリーブ、１０  ハンデイプレス。
【図１】
0003764900.tif 000002
【図２】
0003764900.tif 000003
【図３】
0003764900.tif 000004
【図４】
0003764900.tif 000005